(57)【要約】【課題】  住宅の浴室を構成するユニットバスの外側の湿った空気を換気して結露やカビ等の発生を防止する。【解決手段】  住宅本体１の一画にユニットバス３と洗面所５を隣接配置した場合において、ユニットバス３の外側に換気空間１１を形成し、換気空間１１と洗面所５の仕切り壁４に通風部１２を設けると共に、換気空間１１を囲む住宅本体１の外壁２に排気ユニット１３を設ける。【選択図】        図２
0003102389.tif 000002
【実用新案登録請求の範囲】
【請求項１】
住宅本体１の一画にユニットバス３と洗面所５が隣接して配置され、ユニットバス３の外側に換気空間１１が形成され、換気空間１１と前記洗面所５を仕切る仕切り壁４に通風部１２が設けられると共に、換気空間１１を囲む住宅本体１の外壁２に排気ユニット１３が設けられ、前記洗面所５の空気が換気空間１１を経て前記排気ユニット１３から住宅本体１の外側に排出されるように構成されていることを特徴とするユニットバス周りの換気構造。
【請求項２】
請求項１において、前記通風部１２が仕切り壁４の下方に設けられ、前記排気ユニット１３がユニットバス３の外側上方における外壁２に設けられることを特徴とするユニットバス周りの換気構造。
【考案の詳細な説明】
【技術分野】
【０００１】
本考案は住宅の浴室を構成するユニットバス周りの換気構造に関し、特に高気密性の住宅におけるユニットバス周りに発生する結露、カビ、腐食などを防止する換気構造に関する。
【背景技術】
【０００２】
近年における我国の住宅は、省エネルギー等を目的として高気密性化することが多い。一般に高気密性の住宅はそれを６面体と考えたときに、６面体の全てに断熱材層を設けて気密化し、居住空間と外壁の空間を２４時間連続して計画換気（自然換気または強制換気）し、結露やカビなどの発生を防止するようになっている。
【０００３】
高気密性の住宅に限らず、最近の住宅では浴室をユニットバスで構成することが多い。一般にユニットバスは浴槽と洗い場が繊維強化プラスチックなどで一体成形され、複数の脚部によりコンクリート床などの基礎部に支持して配置される。
【０００４】
そしてユニットバスの周囲と断熱材を充填した外壁の間や底部の下側には空間が形成される。しかし高気密性の住宅の場合はこれら空間が通常居住空間の一部または延長として設計されるので、計画換気システムの範囲外になっている。そのためこれら空間は密閉された換気性を有しない空間となって結露やカビなどが発生し、周囲の構造部材が腐食する原因になっている。そこで本考案者は、ユニットバス周りに換気空間を形成し、その換気空間に洗面所からの空気を強制換気する換気構造を先に開発した（特許文献１）。
【０００５】
【特許文献１】特第３４１８７９１号公報
【０００６】
特許文献１の換気構造は洗面所の床下とユニットバスの底部の下側を連通し、洗面所の床に連通部を設けると共に、ユニットバスの外側に排気ユニットを設け、洗面所の空気を連通部から床下に導き、そこからユニットバス周りの換気空間を経て排気ユニットから住宅本体の外側に排出することを特徴としている。
【考案の開示】
【考案が解決しようとする課題】
【０００７】
特許文献１の換気構造は洗面所の床下とユニットバスの底部の下側をユニットバス側部と共に換気できるという利点がある。しかし洗面所の床部に通風部を設けているので、床部のゴミ等が床下に落下することがある。また住宅構造によっては洗面所の下側に床下空間が形成できない場合もあり、そのような住宅構造では特許文献１の換気構造は採用できない。
【０００８】
そこで本考案は特許文献１の問題を解決し、洗面所の下側に床下空間が形成できない場合でも適用できる換気構造を提供することを課題とする。
【課題を解決するための手段】
【０００９】
前記課題を解決するための本考案に係るユニットバス周りの換気構造は、住宅本体の一画にユニットバスと洗面所を隣接して配置し、ユニットバスの外側に換気空間を形成し、換気空間と前記洗面所を仕切る仕切り壁に通風部を設けると共に、換気空間を囲む住宅本体の外壁に排気ユニットを設け、洗面所の空気が換気空間を経て排気ユニットから住宅本体の外側に排出されるように構成したことを特徴とする（請求項１）。
【００１０】
上記換気構造において、前記通風部を仕切り壁の下方に設け、前記排気ユニットをユニットバスの外側上方における外壁に設けることができる（請求項２）。
【考案の効果】
【００１１】
本考案の換気構造では換気空間と洗面所を仕切る仕切り壁に通風部を設けているので、洗面所の床部に通風部を設ける必要がない。そのため床部から床下にゴミ等が落下するおそれがなく、また洗面所に床下が存在しない場合でも適用できる。
【００１２】
また通風部を仕切り壁の下方に設け、排気ユニットをユニットバスの外側上方における外壁に設けた場合は、洗面所からユニットバス周りを経て住宅本体の外側への通風効率を高めることができる。
【考案を実施するための最良の形態】
【００１３】
次に図面により本考案を実施するための最良の形態を説明する。図１は本考案を適用する住宅本体におけるユニットバスと洗面所の配置例を示す平断面図で、図２は図１のＡ−Ａ断面図である。なお本実施形態は、周囲を断熱性の外壁２で構成した２階建ての住宅本体１にユニットバス３等を配置した例である。
【００１４】
住宅本体１の１階部分の隅部にユニットバス３により構成された浴室が配置され、そのユニットバス３に仕切り壁４を介して脱衣所を兼ねた洗面所５が隣接される。そして洗面所５の反対側には開閉扉を設けた仕切り壁６を介して居住空間７が隣接する。ユニットバス３の上方は天井部８となっており、下方はコンクリート製の基礎部９となっている。そして基礎部９の上にユニットバス３が複数の脚部１０で支持され、ユニットバス３の周りに換気空間１１が形成される。
【００１５】
図３はユニットバス３と洗面所５の平面図である。これらの図において、ユニットバス３の上下と周囲は互いに連通する換気空間１１となっており、その換気空間１１と洗面所５を仕切る仕切り壁４の下方にガラリやグリル等の通風部１２が開口する。また換気空間１１の上部、すなわちユニットバス３の外側の上方における外壁２に換気ファン等の排気ユニット１３が設けられる。なお排気ユニット１３は外壁２に形成した開口部に外側から装着するようになっている。
【００１６】
図３に示すように、ユニットバス３の外側に形成される換気空間１１と洗面所５を仕切る仕切り壁４には、例えば折り込式の浴室ドア１４が設けられる。洗面所５の床部１５は基礎部９の上に直接形成され、前記通風部１２は洗面所５の床部１５に接して設けられる。
【００１７】
次に、図２，図３を参照してユニットバス３の換気作用について説明する。排気ユニット１３を常時連続運転すると、洗面所５の内部空気が矢印のように通風部１２から換気空間１１に流入する。換気空間１１に流入した空気は矢印のようにユニットバス３の周りを通過して排気ユニット１３から住宅本体１の外側に排出する。
【００１８】
このような通風により浴室ドア１４の開閉状態に関係なく、洗面所５の内部空気でユニットバス３の換気空間１１が換気される。そのためユニットバス３の周りの湿った空気は、ユニットバス３の内部や居住空間７に導かれることなく住宅本体１の外部に排出されるので、ユニットバス３の外側を常に乾燥した状態に維持することができ、それによって結露やカビ等の発生を防止して構造部材の腐食を阻止することができる。なお洗面所５の空気は、図示しない吸気口等から居住空間７や住宅本体１の外部より導入される。
【産業上の利用可能性】
【００１９】
本考案に係るユニットバス周りの換気構造は、高気密性の住宅の浴室を構成するユニットバスの外側の湿った空気を換気するために利用できる。
【図面の簡単な説明】
【００２０】
【図１】本考案を適用する住宅本体におけるユニットバスと洗面所の配置例を示す平断面図。
【図２】図１のＡ−Ａ断面図。
【図３】ユニットバス３と洗面所５の平面図。
【符号の説明】
【００２１】
１  住宅本体
２  外壁
３  ユニットバス
４  仕切り壁
５  洗面所
６  仕切り壁
７  居住空間
８  天井部
【００２２】
９  基礎部
１０  脚部
１１  換気空間
１２  通風部
１３  排気ユニット
１４  浴室ドア
１５  床部
【図１】
0003102389.tif 000003
【図２】
0003102389.tif 000004
【図３】
0003102389.tif 000005